(57)【要約】【課題】複数の像担持体上に互いに異なる色のトナー像を形成し、そのトナー像を第１の中間転写体上に重ねて転写して得た第１の画像を第２の中間転写体に熱転写し、その第１の画像を記録媒体の一方の面に熱転写して定着し、複数の像担持体上のトナー像を第１の中間転写体上に転写して得た第２の画像を上記記録媒体の他方の面に熱転写して定着する画像形成装置において、第１の中間転写体から第２の中間転写体への第１の画像の転写と、第２の中間転写体から記録媒体への第１の画像の転写と、第１の中間転写体から記録媒体への第２の画像の転写の効率を高める。【解決手段】画像に対する離型性を、第１の中間転写体３、第２の中間転写体１５、記録媒体Ｐの順に高く設定する。【選択図】　図１
2004117408.tif 000002
【特許請求の範囲】
【請求項１】
互いに異なる色のトナー像がそれぞれ形成される複数の像担持体と、各像担持体に形成されたトナー像が重ね転写される第１の中間転写体と、該第１の中間転写体に転写された重ねトナー像より成る第１の画像が熱転写される第２の中間転写体とを具備し、該第２の中間転写体に転写された第１の画像を記録媒体の一方の面に熱転写すると共に、前記複数の像担持体にそれぞれ形成されたトナー像を第１の中間転写体に重ねて転写して得た第２の画像を前記記録媒体の他方の面に熱転写し、該記録媒体の一方の面と他方の面に第１及び第２の画像を熱転写することにより、該第１及び第２の画像を記録媒体に定着する画像形成装置において、
前記第１の画像と第２の画像を記録媒体の一方の面と他方の面にそれぞれ熱転写するときの当該画像に対する離型性を、第１の中間転写体、第２の中間転写体、記録媒体の順に高く設定したことを特徴とする画像形成装置。
【請求項２】
前記第１の画像と第２の画像を記録媒体の一方の面と他方の面にそれぞれ熱転写するときの当該画像に対する離型性が、第１の中間転写体、第２の中間転写体、記録媒体の順に高くなるように、第１及び第２の中間転写体の基材に表面処理が施されている請求項１に記載の画像形成装置。
【請求項３】
第１及び第２の中間転写体の基材は同じ材料により構成されている請求項２に記載の画像形成装置。
【請求項４】
前記第１の画像と第２の画像を記録媒体の一方の面と他方の面にそれぞれ熱転写するときの当該画像に対する離型性が、第１の中間転写体、第２の中間転写体、記録媒体の順に高くなるように、第１の中間転写体の表面に離型剤を塗布する塗布手段を設けた請求項１に記載の画像形成装置。
【請求項５】
前記第１の画像と第２の画像を記録媒体の一方の面と他方の面にそれぞれ熱転写するときの当該画像に対する離型性が、第１の中間転写体、第２の中間転写体、記録媒体の順に高くなるように、第１の中間転写体の表面と第２の中間転写体の表面にそれぞれ離型剤を塗布する第１及び第２の塗布手段を設けた請求項１に記載の画像形成装置。
【請求項６】
前記塗布手段が、離型剤ブロックと、該離型剤ブロックに接触しながら回転するブラシローラとを有し、該ブラシローラの回転によって前記中間転写体に離型剤を塗布する請求項４又は５に記載の画像形成装置。
【請求項７】
中間転写体への離型剤の塗布量を調整できるように、前記ブラシローラの回転数と回転時間のうちの少なくとも一方を変化させることができるように構成した請求項６に記載の画像形成装置。
【発明の詳細な説明】
【０００１】
【発明の属する技術分野】
本発明は、互いに異なる色のトナー像がそれぞれ形成される複数の像担持体と、各像担持体に形成されたトナー像が重ね転写される第１の中間転写体と、該第１の中間転写体に転写された重ねトナー像より成る第１の画像が熱転写される第２の中間転写体とを具備し、該第２の中間転写体に転写された第１の画像を記録媒体の一方の面に熱転写すると共に、前記複数の像担持体にそれぞれ形成されたトナー像を第１の中間転写体に重ねて転写して得た第２の画像を前記記録媒体の他方の面に熱転写し、該記録媒体の一方の面と他方の面に第１及び第２の画像を熱転写することにより、該第１及び第２の画像を記録媒体に定着する画像形成装置に関する。
【０００２】
【従来の技術】
複写機、プリンタ、ファクシミリ或いはこれらの少なくとも２つの機能を備えた複合機などとして構成される上記形式の画像形成装置は既に提案されている。この形式の画像形成装置によれば、記録媒体を反転させることなく、当該記録媒体を一度給送するだけで、その記録媒体の両面にカラー画像を形成することができる。しかも、第１の中間転写体上の第１の画像を第２の中間転写体に熱転写し、かつ該第１の画像と、第１の中間転写体上の第２の画像を記録媒体の各面に熱転写するので、転写による画像の画質劣化を抑えることができる。さらに、記録媒体の一方の面と他方の面に第１および第２の画像を熱転写することによって、該第１及び第２の画像を記録媒体に定着するので、独立した定着装置を設ける必要がなく、画像形成装置の構成の簡素化とコストの低減を達成できる。
【０００３】
【発明が解決しようとする課題】
本発明はの目的は、上記形式の画像形成装置において、第１の中間転写体から第２の中間転写体への第１の画像の転写効率と、第２の中間転写体から記録媒体の一方の面への第１の画像の転写効率と、第１の中間転写体から記録媒体の他方の面への第２の画像の転写効率を高めることのできる画像形成装置を提供することにある。
【０００４】
【課題を解決するための手段】
本発明は、上記目的を達成するため、冒頭に記載した形式の画像形成装置において、前記第１の画像と第２の画像を記録媒体の一方の面と他方の面にそれぞれ熱転写するときの当該画像に対する離型性を、第１の中間転写体、第２の中間転写体、記録媒体の順に高く設定したことを特徴とする画像形成装置を提案する（請求項１）。
【０００５】
また、上記請求項１に記載の画像形成装置において、前記第１の画像と第２の画像を記録媒体の一方の面と他方の面にそれぞれ熱転写するときの当該画像に対する離型性が、第１の中間転写体、第２の中間転写体、記録媒体の順に高くなるように、第１及び第２の中間転写体の基材に表面処理が施されていると有利である（請求項２）。
【０００６】
さらに、上記請求項２に記載の画像形成装置において、第１及び第２の中間転写体の基材は同じ材料により構成されていると有利である（請求項３）。
【０００７】
また、上記請求項１に記載の画像形成装置において、前記第１の画像と第２の画像を記録媒体の一方の面と他方の面にそれぞれ熱転写するときの当該画像に対する離型性が、第１の中間転写体、第２の中間転写体、記録媒体の順に高くなるように、第１の中間転写体の表面に離型剤を塗布する塗布手段を設けると有利である（請求項４）。
【０００８】
さらに、上記請求項１に記載の画像形成装置において、前記第１の画像と第２の画像を記録媒体の一方の面と他方の面にそれぞれ熱転写するときの当該画像に対する離型性が、第１の中間転写体、第２の中間転写体、記録媒体の順に高くなるように、第１の中間転写体の表面と第２の中間転写体の表面にそれぞれ離型剤を塗布する第１及び第２の塗布手段を設けると有利である（請求項５）。
【０００９】
また、上記請求項４又は５に記載の画像形成装置において、前記塗布手段が、離型剤ブロックと、該離型剤ブロックに接触しながら回転するブラシローラとを有し、該ブラシローラの回転によって前記中間転写体に離型剤を塗布するように構成されていると有利である（請求項６）。
【００１０】
さらに、上記請求項６に記載の画像形成装置において、中間転写体への離型剤の塗布量を調整できるように、前記ブラシローラの回転数と回転時間のうちの少なくとも一方を変化させることができるように構成されていると有利である（請求項７）。
【００１１】
【発明の実施の形態】
以下、本発明の実施形態例を図面に従って詳細に説明する。
【００１２】
図１は画像形成装置の一例を示す垂直断面図であり、ここに示した画像形成装置は、互いに異なる色のトナー像がそれぞれ形成される複数の像担持体が設けられている。図示した例では、イエロートナー像、マゼンタトナー像、シアントナー像及びブラックトナー像がそれぞれ形成されるドラム状の４つの像担持体２Ｙ，２Ｍ，２Ｃ，２ＢＫが設けられている。これらの像担持体像担持体２Ｙ乃至２ＢＫに対向して第１の中間転写体３が配置され、この中間転写体３に各像担持体２Ｙ乃至２ＢＫがそれぞれ当接している。図１に示した例では、第１の中間転写体３が、支持ローラ４，５，６に巻き掛けられて矢印Ａ方向に回転駆動される無端ベルトより成り、かかる第１の中間転写体３上に、各像担持体２Ｙ，２Ｍ，２Ｃ，２ＢＫ上に形成された各色のトナー像が重ねて転写される。
【００１３】
第１乃至第４の像担持体２Ｙ，２Ｍ，２Ｃ，２ＢＫ上にトナー像を形成する構成と、その各トナー像を第１の中間転写体３上に転写する構成は実質的に全て同一であり、形成される各トナー像の色が異なるだけである。よって、第１の像担持体２Ｙにトナー像を形成し、そのトナー像を第１の中間転写体３上に転写する構成と作用だけを説明する。
【００１４】
この像担持体２Ｙは図１における時計方向に回転駆動され、このとき像担持体表面に除電装置７からの光が照射され、該像担持体２Ｙの表面電位が初期化される。初期化された像担持体表面は帯電装置８によって所定の極性、この例ではマイナス極性に一様に帯電される。この帯電面に、露光装置９から出射する光変調されたレーザ光Ｌが照射され、像担持体２Ｙの表面に書き込み情報に対応した静電潜像が形成される。図１に示した画像形成装置においてはレーザ光を出射するレーザ書き込み装置より成る露光装置９が用いられているが、ＬＥＤアレイと結像手段を有する露光装置などを用いることもできる。
【００１５】
像担持体２Ｙに形成された静電潜像は、これが現像装置１１を通るとき、イエロートナー像として可視像化される。ここに一例として示した現像装置１１は、乾式の現像剤を担持して搬送する現像ローラ１０を有し、この現像ローラ１０に担持されて搬送される現像剤によって静電潜像がトナー像として可視像化される。
【００１６】
一方、無端ベルトより成る第１の中間転写体３の内側には、その第１の中間転写体３を挟んで像担持体２Ｙに対向して位置する第１の転写手段の一例である転写ローラ１２が配置されている。この転写ローラ１２には、像担持体２Ｙ上に形成されたトナー像のトナー帯電極性と逆極性、この例ではプラス極性の転写電圧が印加される。これにより、像担持体２Ｙと第１の中間転写体３との間に転写電界が形成され、像担持体２Ｙ上のトナー像が、その像担持体２Ｙと同期して回転駆動される第１の中間転写体３上に静電的に転写される。このように、第１の転写手段は、像担持体２Ｙ上のトナー像を第１の中間転写体３の表面に静電転写する用をなす。
【００１７】
トナー像を第１の中間転写体３に転写したあとの像担持体２Ｙ表面に付着する転写残トナーは、クリーニング装置１４によって除去され、像担持体２Ｙの表面が清掃される。
【００１８】
全く同様にして、第２乃至第４の各像担持体２Ｍ，２Ｃ，２ＢＫには、マゼンタトナー像、シアントナー像及びブラックトナー像がそれぞれ形成される。各像担持体に対向配置された現像装置が、その各像担持体に互いに異なった色のトナー像を形成するのである。第２乃至第４の像担持体２Ｍ，２Ｃ，２ＢＫ上に形成された各色のトナー像は、転写ローラにより構成された各第１の転写手段によって、イエロートナー像の転写された第１の中間転写体３上に順次重ねて静電転写される。このようにして各像担持体に形成された互いに異なる色のトナー像が第１の中間転写体に重ねて静電転写されるが、第１の中間転写体上に転写された重ねトナー像より成るこの画像を第１の画像と称することにする。
【００１９】
一方、第１の中間転写体３の右方には、第１の中間転写体３上の第１の画像が熱転写される第２の中間転写体１５が配置されている。この第２の中間転写体１５も複数の支持ローラ１６，１７，２１，１８に巻き掛けられて、第１の中間転写体３に同期して矢印Ｂ方向に回転駆動される無端ベルトにより構成されている。第２の中間転写体１５は、支持ローラ５に巻き掛けられた第１の中間転写体３の部分に圧接している。
【００２０】
本例の画像形成装置においては、上述の支持ローラ５が、例えばその内部に配置された発熱体（図示せず）によって加熱される加熱ローラより成る第２の転写手段として構成され、かかる支持ローラ５の熱によって、第１の中間転写体３上の第１の画像のトナーが軟化し、これによってその第１の画像が、第１の中間転写体３に圧接した第２の中間転写体１５上に一度に熱転写される。このように、熱転写とは、少なくとも熱の作用によってトナー像を転写することである。
【００２１】
第２の中間転写体１５に第１の画像を転写したあとの第１の中間転写体３の表面に付着する転写残トナーは、紙粉などと共に、クリーニング装置２２によって除去され、第１の中間転写体３の表面が清掃される。
【００２２】
第２の中間転写体１５に転写された第１の画像が、その第２の中間転写体１５の回転に伴って所定のところまで移動した時、前述したところと全く同様にして、複数の像担持体２Ｙ，２Ｍ，２Ｃ，２ＢＫ上に順次各色のトナー像がそれぞれ形成され始め、これらのトナー像が第１の転写手段によって第１の中間転写体３上に重ねて静電転写される。このようにして第１の中間転写体３上に得られた重ねトナー像より成る画像を第２の画像と称することにする。
【００２３】
一方、本体筐体内の下部には、記録媒体給送装置２３が設けられている。ここに例示した記録媒体給送装置２３は、転写紙や樹脂シートなどから成る記録媒体Ｐを積載収容した２つの給紙カセット２４，２４Ａと、その各給紙カセットから記録媒体Ｐを送り出す給紙ローラ２５，２５Ａを有し、そのいずれかの給紙ローラが最上位の記録媒体上面に当接して回転することにより、その最上位の記録媒体が送り出され、該記録媒体は複数のガイド部材により構成された搬送路を通ってレジストローラ対２６へ搬送される。
【００２４】
レジストローラ対２６は、第１の中間転写体３上の第２の画像と第２の中間転写体１５上の第１の画像が記録媒体Ｐの各面にそれぞれ整合して転写されるタイミングで記録媒体Ｐを送り出す。このようにしてレジストローラ対２６から送り出された記録媒体は、第１の中間転写体３と第２の中間転写体１５との当接部を通過し、上方に搬送される。
【００２５】
第２の中間転写体１５の内側には、第１の中間転写体３用の支持ローラ５にほぼ対向して、第３の転写手段の一例である加熱ローラ２０が配置されている。記録媒体Ｐが、上述のように第１の中間転写体３と第２の中間転写体１５との当接部を通るとき、加熱ローラ２０も、例えばその内部に設けられた発熱体（図示せず）によって加熱される。このとき第２の転写手段を構成する支持ローラ５も、その内部の発熱体によって加熱されている。このため、第１の中間転写体３上の第２の画像と、第２の中間転写体１５上の第１の画像が加熱されて溶融し、両中間転写体３，１５の当接部を通過する記録媒体Ｐの一方の面に、第２の中間転写体１５上に転写された第１の画像が熱転写され、第１の中間転写体３上の第２の画像が記録媒体Ｐの他方の面に熱転写される。このように、第１及び第２の画像を構成するトナーが溶融し、しかもそのトナーが両中間転写体３，１５によって加圧されるので、記録媒体Ｐの各面に転写された第１及び第２の画像が、第１及び第２の中間転写体３，１５の当接部を通過した後に冷却されることにより、記録媒体の各面にそれぞれ固着されて定着される。このようにして記録媒体Ｐの各面にカラー画像が形成され、かかる記録媒体Ｐは第２の中間転写体１５を離れた後、矢印Ｂで示すように、画像形成装置本体上部の排紙部３０に排出される。
【００２６】
第２の画像を記録媒体に転写した後の第１の中間転写体３上に付着する転写残トナーは、クリーニング装置２２によって除去され、同じく第１の画像を記録媒体に転写した後の第２の中間転写体１５上に付着する転写残トナーは、クリーニング装置３２のクリーニング部材３２Ａによって除去される。このクリーニング部材３２Ａは、第２の中間転写体１５上の第１の画像がここを通過するときは、該第２の中間転写体１５の表面から離間し、第１の画像の転写後の第２の中間転写体１５を清掃するときだけ、第２の中間転写体１５の表面に当接する。
【００２７】
上述した例では、第２の転写手段としての支持ローラ５の熱によって、第１の中間転写体３上の第１の画像を第２の中間転写体１５上に熱転写し、該支持ローラ５と加熱ローラ２０の熱によって第２の中間転写体１５上の第１の画像と第１の中間転写体３上の第２の画像を記録媒体Ｐの各面にそれぞれ熱転写し、その各画像を記録媒体Ｐ上に定着するように構成したが、第１の中間転写体３上の第１の画像を第２の中間転写体１５上に熱転写するときも、支持ローラ５と加熱ローラ２０の熱によってその第１の画像を第２の中間転写体１５に熱転写することもできる。いずれの場合も、第１の中間転写体３上の第１の画像を第２の中間転写体１５上に熱転写するときよりも、第２の中間転写体１５上の第１の画像と第１の中間転写体３上の第２の画像を記録媒体Ｐの各面にに熱転写するときの方が多量の熱を使用できるようにする。これにより、第１及び第２の画像を溶融させて、その各画像を記録媒体Ｐの各面に熱転写し、かつこれを定着することができる。
【００２８】
上述のように、本例の画像形成装置においては、第１の中間転写体３から第２の中間転写体１５に転写された第１の画像を記録媒体Ｐの一方の面に熱転写すると共に、複数の像担持体２Ｙ乃至２ＢＫにそれぞれ形成されたトナー像を第１の中間転写体３に重ねて転写して得た第２の画像を記録媒体Ｐの他方の面に熱転写し、該記録媒体Ｐの一方の面と他方の面に第１及び第２の画像を熱転写することにより、該第１及び第２の画像を記録媒体に定着するように構成されている。
【００２９】
ここで、上述の各熱転写が効率よく行われるようにするため、第２の中間転写体１５上の第１の画像と、第１の中間転写体３上の第２の画像を記録媒体Ｐの一方の面と他方の面にそれぞれ熱転写するときの各画像に対する離型性が、第１の中間転写体３、第２の中間転写体１５、記録媒体Ｐの順に高くなるように構成されている。このように構成すれば、トナー像に対する第１の中間転写体３の表面の離型性が第２の中間転写体１５の表面の離型性よりも大きくなるので、第１の中間転写体３上の第１の画像を第２の中間転写体１５上に効率よく熱転写することができる。同様に、第２の中間転写体１５上の第１の画像を効率よく記録媒体Ｐの一方の面に熱転写することができる。また、上述の構成により、当然、第１の中間転写体３の表面の離型性は、記録媒体Ｐの表面の離型性よりも高くなるので、その第１の中間転写体３上の第２の画像を記録媒体Ｐの他方の面に効率よく熱転写することができる。かかる構成を採用することにより、第１及び第２の中間転写体３，１５用のクリーニング装置２２，３２を省略することも可能となる。
【００３０】
上述のように、第１及び第２の中間転写体３，１５の離型性を設定するには、例えば、第１の画像と第２の画像を記録媒体Ｐの一方の面と他方の面にそれぞれ熱転写するときの当該画像に対する離型性が、第１の中間転写体３、第２の中間転写体１５、記録媒体Ｐの順に高くなるように、第１及び第２の中間転写体３，１５の基材に表面処理を施せばよい。より具体的に示すと、無端ベルトより成る第１及び第２の中間転写体３，１５は、例えば厚みが２０乃至６００μｍの樹脂フィルム又はゴムを基材としたベルトより成るが、かかる基材の表面に、上述の離型性が得られるように、離型層をコートして表面処理を施すのである。第２の中間転写体１５よりも第１の中間転写体３の方が表面性のよい材料の離型層を用いる。その離型層としては、例えばフッ素樹脂、特にテフロン（登録商標）などを用いることができる。その際、その離型層として耐熱性に優れた材料を用いると、画像の熱転写のために第１及び第２の中間転写体３，１５を加熱しても、その劣化を抑え、長期に亘って高品質な画像を得ることができる。
【００３１】
また、上述のように異なった離型性を持つ離型層を各中間転写体３，１５の基材にコートするのであれば、第１及び第２の中間転写体３，１５の基材を同じ材料によって構成することもできる。これにより、第１及び第２の中間転写体３，１５のコストを低減できる。
【００３２】
また、上述した各構成に代え、又は当該構成を採用すると共に、第１の画像と第２の画像を記録媒体Ｐの一方の面と他方の面にそれぞれ熱転写するときの当該画像に対する離型性が、第１の中間転写体３、第２の中間転写体１５、記録媒体Ｐの順に高くなるように、第１の中間転写体３の表面に離型剤を塗布する塗布手段を設けることもできる。すなわち、図１に示すように、第１の中間転写体３に対向して第１の塗布手段４０を設ける。この塗布手段４０は、例えばステアリン酸亜鉛より成る固形状の離型剤ブロック４１と、この離型剤ブロック４１及び第１の中間転写体３の表面に接触しながら回転するブラシローラ４２と、離型剤ブロック４１をブラシローラ４２に一定の圧力で当接させるスプリング４３とを有している。画像形成動作時に、第１の中間転写体３が回転すると共に、ブラシローラ４２が図示していない駆動装置によって回転駆動され、このときそのブラシローラ４２によって離型剤ブロック４１から離型剤が削り取られ、その離型剤が第１の中間転写体３上に適量ずつ塗布される。このように、ブラシローラ４２の回転によって、第１の中間転写体３に離型剤を塗布する。これにより、第１の中間転写体３の表面は、第２の中間転写体１５の表面よりもトナー像に対する離型性が高められ、前述の各熱転写を効率よく行うことができる。またブラシローラ４２を用いることにより、第１の中間転写体３上に塗布される離型剤の量を安定させることができる。
【００３３】
さらに、第１の画像と第２の画像を記録媒体Ｐの一方の面と他方の面にそれぞれ熱転写するときの当該画像に対する離型性が、第１の中間転写体３、第２の中間転写体１５、記録媒体Ｐの順に高くなるように、第１の中間転写体３の表面と第２の中間転写体１５の表面にそれぞれ離型剤を塗布する第１及び第２の塗布手段を設けることもできる。すなわち、前述の塗布手段４０を第１の塗布手段としたとき、第２の中間転写体１５の表面に離型剤を塗布する第２の塗布手段４０Ａを設けるのである。この第２の塗布手段４０Ａは、第１の塗布手段４０と実質的に同じく構成され、例えばステアリン酸亜鉛より成る固形状の離型剤ブロック４１Ａと、この離型剤ブロック４１Ａ及び第２の中間転写体１５の表面に接触しながら回転するブラシローラ４２Ａと、離型剤ブロック４１Ａをブラシローラ４２Ａに一定の圧力で当接させるスプリング４３Ａとを有し、ブラシローラ４２Ａの回転によって第２の中間転写体１５に離型剤を塗布する。
【００３４】
第１及び第２の中間転写体３，１５が回転するとき、両ブラシローラ４２，４２Ａも回転し、第１及び第２の中間転写体３，１５の表面にそれぞれ離型剤が塗布される。その際、第１の塗布手段４０により第１の中間転写体３の表面に塗布される離型剤の量の方が、第２の塗布手段４０Ａにより第２の中間転写体１５に塗布される離型剤の量よりも多くなるように構成する。例えば、第１の塗布手段４０のブラシローラ４２の回転数を、第２の塗布手段４０Ａのブラシローラ４２Ａの回転数よりも高く設定するのである。これにより、第１の中間転写体３の表面の離型性が、第２の中間転写体１５の表面の離型性よりも高くなり、前述のように第１及び第２の画像を熱転写するときの転写効率を高めることができる。
【００３５】
なお、第２の中間転写体１５上の第１の画像が第２の塗布手段４０Ａを通過するとき、そのブラシローラ４２Ａが第２の中間転写体１５の表面から離間するように構成し、ブラシローラ４２によって第１の画像が乱される不具合を阻止する。クリーニング装置３２によって清掃された後の第２の中間転写体１５の表面にブラシローラ４２Ａを当接させて離型剤を塗布することが好ましい。また、離型剤として耐熱性に優れたものを使用し、熱転写に伴い離型剤が加熱されても、これが熱劣化して異常画像が発生しないようにすることが好ましい。
【００３６】
前述した塗布手段を用いると、第１及び第２の中間転写体３，１５自体を構成する材料として同じものを用いることもでき、これにより両中間転写体の製造コストを低減できる。また、第１及び第２の中間転写体３，１５の表面が経時的に削れてその表面の特性が変わってしまったときも、その表面に離型剤を塗布するので、第１及び第２の中間転写体３，１５の表面の離型性を前述の要求を満足できる状態に維持することができる。
【００３７】
さらに、中間転写体３，１５への離型剤の塗布量を調整できるように、第１及び第２の塗布手段４０，４０Ａの少なくとも一方のブラシローラ４２，４２Ａの回転数と、これを駆動するときの回転時間のうちの少なくとも一方を変化させることができるように構成すると、離型剤の特性が変化して、その塗布量が減少したときも、ブラシローラ４２，４２Ａの回転数や、その回転時間を制御することにより、中間転写体３，１５への離型剤の塗布量の減少を補って、実際に中間転写体３，１５上に塗布される離型剤の量を安定させることができる。
【００３８】
【発明の効果】
本発明によれば、第１の中間転写体から第２の中間転写体への第１の画像の転写効率と、第２の中間転写体から記録媒体の一方の面への第１の画像の転写効率と、第１の中間転写体から記録媒体の他方の面への第２の画像の転写効率を簡単な構成によって高めることができる。
【図面の簡単な説明】
【図１】画像形成装置の一例を示す垂直断面図である。
【符号の説明】
２Ｙ　像担持体
２Ｍ　像担持体
２Ｃ　像担持体
２ＢＫ　像担持体
３　第１の中間転写体
１５　第２の中間転写体
４０，４０Ａ　塗布手段
４１，４１Ａ　離型剤ブロック
４２，４２Ａ　ブラシローラ
Ｐ　記録媒体
【図１】
2004117408.tif 000003